(57)【特許請求の範囲】
【請求項１】
パネルをベルトパーティションスタンドの支柱に取り付けるためのパネル取付具であって、
上記パネルが取り付けられるパネル支持部材と、
上記パネル支持部材に設けられ、上記支柱に当接させられる緩衝部材と、
上記緩衝部材を上記支柱に当接させつつ、上記支柱に上記パネル支持部材を固定するための固定手段と、を備え、
上記パネル支持部材は、上記パネルと対向させられる第１の面、および、上記第１の面の反対を向く第２の面を有する板状部を有し、
上記緩衝部材は、上記第２の面に固定されており、
上記パネル支持部材は、上記第１の面に設けられた、磁石からなるパネル固定部を有しており、
上記パネル固定部は、上記第１の面に当接する底面と、上記底面の反対を向く主面とを有しており、
上記パネル支持部材は、上記第１の面に対して起立する起立部を有しており、
上記起立部は、上記第１の面に垂直な方向において、上記主面よりも上記第１の面から遠くに位置する端縁を有していることを特徴とする、パネル取付具。
【請求項２】
上記パネル支持部材は、上記起立部の端縁から延出する突出部を有しており、
上記突出部は、上記第１の面に平行な面を有する、請求項１に記載のパネル取付具。
【請求項３】
上記パネル支持部材には、上記固定手段が挿通する孔部が形成されている、請求項１または２に記載のパネル取付具。
【請求項４】
上記固定手段は帯状に形成されており、その一面に面ファスナが設けられている、請求項３に記載のパネル取付具。
【請求項５】
パネルと、
床面に載置されるベースおよび当該ベースから起立する支柱を有するベルトパーティションスタンドと、
請求項１ないし４のいずれかに記載のパネル取付具と、
を備えており、
上記パネルが上記パネル取付具を介して上記支柱に取り付けられているパネル付スタンドであって、
上記緩衝部材は上記支柱に当接し、かつ、自然状態から変形していることを特徴とする、パネル付スタンド。
【発明の詳細な説明】
【技術分野】
【０００１】
本発明は、ベルトパーティションスタンドの支柱にパネルを固定するためのパネル取付具に関する。
【背景技術】
【０００２】
従来、金融機関やイベント会場などの様々な施設において、歩行者の通路規制などを行うために、ベルトパーティションスタンドが使用されている。ベルトパーティションスタンドは、床面に載置される台座と、この台座から起立する支柱と、支柱の上端に設けられたベルト収納ヘッドとを備えている（たとえば、特許文献１を参照）。ベルトパーティションスタンドの使用時には、複数のベルトパーティションスタンドを設置する。さらに、ベルト収納ヘッドからベルトを繰り出し、繰り出したベルトの先端は他のベルトパーティションスタンドに係止する。このようにすることで、隣接するベルトパーティションスタンドの相互間にベルトが張設され、歩行者の通路規制などを行うことができる。
【０００３】
上述したベルトパーティションスタンドに告知等を目的とするパネルを設ける場合がある。たとえば、特許文献２には、支柱の上端にパネルを取り付ける例が記載されている。支柱の上端にパネルを取り付ける場合、バランスを欠いて支柱が転倒してしまったり、パネルが通行の妨げとなったりすることが起こり得る。このような問題を回避する方策の一例として、特許文献３には、支柱自体をパネルとして使用する例が記載されている。
【０００４】
しかしながら、支柱自体をパネルとして使用する場合、表示範囲に制約が生じるとともに、パネルに表示される内容を変更するのが困難であり、新しい告知内容を表示する必要がある場合にはベルトパーティションスタンドを買い替える必要が生じ得た。このため、支柱にパネルを着脱可能とする構成が求められていたが、支柱の形状が製造メーカによって一定ではないことが障害となっていた。
【先行技術文献】
【特許文献】
【０００５】
【特許文献１】特許第３６９４７２３号公報
【特許文献２】特開２００８−３０３６０２号公報
【特許文献３】特開平１１−２４１３２２号公報
【発明の概要】
【発明が解決しようとする課題】
【０００６】
本発明は、上記した事情のもとで考え出されたものであって、ベルトパーティションスタンドの支柱の形状に関わらず、当該支柱にパネルを固定可能なパネル取付具およびそのようなパネル取付具を備えたパネル付スタンドを提供することをその課題とする。
【課題を解決するための手段】
【０００７】
本発明の第１の側面によって提供されるパネル取付具は、パネルをベルトパーティションスタンドの支柱に取り付けるためのパネル取付具であって、上記パネルが取り付けられるパネル支持部材と、上記パネル支持部材に設けられ、上記支柱に当接させられる緩衝部材と、上記緩衝部材を上記支柱に当接させつつ、上記支柱に上記パネル支持部材を固定するための固定手段と、を備えていることを特徴とする。
【０００８】
このような構成によれば、上記パネル支持部材が上記支柱に直接接するのではなく、上記緩衝部材が上記支柱に当接することになる。上記支柱のサイズおよび形状は、様々なものが想定される。上記緩衝部材として変形可能なものを用いることにより、本発明に基づくパネル取付具は、上記支柱のサイズおよび形状のばらつきの影響を受けにくくなる。具体的には、上記支柱の形状が四角柱状である場合や円柱状である場合が想定されるが、本発明に基づくパネル取付具は、上記緩衝部材が上記支柱の形状に合わせて変形することにより、いずれの場合にも対応可能である。
【０００９】
本発明の好ましい実施の形態においては、上記パネル支持部材は、上記パネルと対向させられる第１の面、および、上記第１の面の反対を向く第２の面を有する板状部を有しており、上記緩衝部材は、上記第２の面に固定されている。
【００１０】
本発明の好ましい実施の形態においては、上記パネル支持部材は、上記第１の面に設けられたパネル固定部を有している。
【００１１】
本発明の好ましい実施の形態においては、上記パネル固定部は磁石からなる。
【００１２】
本発明の好ましい実施の形態においては、上記パネル固定部は、上記第１の面に当接する底面と、上記底面の反対を向く主面とを有しており、上記パネル支持部材は、上記第１の面に対して起立する起立部を有しており、上記起立部は、上記第１の面に垂直な方向において、上記主面よりも上記第１の面から遠くに位置する端縁を有している。
【００１３】
本発明の好ましい実施の形態においては、上記パネル支持部材は、上記起立部の端縁から延出する突出部を有しており、上記突出部は、上記第１の面に平行な面を有する。
【００１４】
本発明の好ましい実施の形態においては、上記パネル支持部材には、上記固定手段が挿通する孔部が形成されている。
【００１５】
本発明の好ましい実施の形態においては、上記固定手段は帯状に形成されており、その一面に面ファスナが設けられている。
【００１６】
本発明の第２の側面によって提供されるパネル付スタンドは、パネルと、床面に載置されるベースおよび当該ベースから起立する支柱を有するベルトパーティションスタンドと、  本発明の第１の側面によって提供されるパネル取付具と、を備えており、上記パネルが上記パネル取付具を介して上記支柱に取り付けられているパネル付スタンドであって、上記緩衝部材は上記支柱に当接し、かつ、自然状態から変形していることを特徴とする。
【００１７】
本発明のその他の特徴および利点は、添付図面を参照して以下に行う詳細な説明によって、より明らかとなろう。
【図面の簡単な説明】
【００１８】
【図１】本発明の第１実施形態に基づくパネル取付具を示す斜視図である。
【図２】本発明に基づくパネル取付具が用いられるベルトパーティションスタンドの一例を示す図である。
【図３】本発明に基づくパネル付スタンドの一例を示す図である。
【図４】図３に示すパネル付スタンドの背面を示す図である。
【図５】図４のＶ−Ｖ線に沿う断面図である。
【図６】図５に示すパネル取付具の取付方法を説明するための図である。
【図７】図１に示すパネル取付具を異なる形状の支柱に取り付ける方法を説明するための図である。
【図８】図５に示すパネルの別の例を示す図である。
【図９】本発明の第２実施形態に基づくパネル取付具を示す斜視図である。
【図１０】図９に示すパネル取付具を用いてベルトパーティションスタンドにパネルを取り付けた状態を示す図である。
【図１１】図１０に示すベルトパーティションスタンドの背面を示す図である。
【図１２】本発明の第３実施形態に基づくパネル取付具を示す斜視図である。
【発明を実施するための形態】
【００１９】
以下、本発明の好ましい実施の形態につき、図面を参照して具体的に説明する。
【００２０】
図１は本発明の第１実施形態に基づくパネル取付具を示している。図１に示すパネル取付具Ａ１は、ベルトパーティションスタンドにパネルを取り付けるのに用いられるものである。図２には、ベルトパーティションスタンドの一例を示している。図３〜図５には、本発明に基づくパネル付スタンドの一例を示している。図３〜図５に示すパネル付スタンドＢ１は、図２に示すベルトパーティションスタンド１０と、パネル２０と、２つのパネル取付具Ａ１とを備えている。
【００２１】
図２に示すように、ベルトパーティションスタンド１０は、ベース１１と、このベース１１から起立する支柱１２と、支柱１２に連結されるベルト収納ヘッド１３と、パーティションベルト１４と、を備えている。
【００２２】
ベース１１は、床面に載置される部材であり、平面視略円形の板状とされている（図５参照）。支柱１２は、円柱状に形成されている。なお、図５では、支柱１２の内部構造を省略している。ベース１１には、一定幅の切欠き１１１が形成されている。この切欠き１１１の幅寸法は、支柱１２の外径よりも少し大とされている。複数のベルトパーティションスタンド１０を収納する際には、支柱１２が別のベルトパーティションスタンド１０の切り欠き１１に嵌り込むようにすると、収納スペースを縮小することができる。
【００２３】
ベルト収納ヘッド１３は、支柱１２の上端に連結されており、円筒状の外形を有している。ベルト収納ヘッド１３の外周直径は支柱１２の外周直径よりも大きくなっている。ベルト収納ヘッド１３の軸方向における長さは、たとえば１５ｃｍ程度とされる。ベルト収納ヘッド１３は、パーティションベルト１４を収容する。
【００２４】
パーティションベルト１４は、ベルト収納ヘッド１３に設けられたスリット状のベルト導出部１３１を通じてベルト収納ヘッド１３の外部に繰り出し可能とされている。ベルト収納ヘッド１３内部の詳細な図示は省略するが、パーティションベルト１４は、たとえば、その基端部がベルト収納ヘッド１３内に設けられたリールの巻軸に固定され、かつベルト全体がこの巻軸に巻回されており、付勢手段によって巻き取り方向に付勢されている。パーティションベルト１４の先端部には、ベルトエンド１４１が設けられている。ベルトエンド１４１は、概略円柱状とされており、このベルトエンド１４１の下端から上端近傍にかけて横断面Ｔ字状の溝が形成されている。なお、上記のようなパーティションベルト１４が繰り出し可能に収納される構造自体は、周知の技術（たとえば実用新案登録第３００８７６２号公報に記載の技術）によって実現される。
【００２５】
ベルト収納ヘッド１３の外面には、複数のベルトエンド受け部１３２が設けられている。これらベルトエンド受け部１３２は、ベルト導出部１３１に対して周方向に９０°ずつずれた３箇所に位置している。各ベルトエンド受け部１３２は、軸方向に沿って一定長さ延びるようにして横断面Ｔ字状に形成されており、ベルトエンド１４１に設けられた溝に嵌合可能となっている。ベルトパーティションスタンド１０の使用時には、パーティションベルト１４を繰り出すとともに、当該ベルト１４のベルトエンド１４１の溝に他のベルトパーティションスタンド１０のベルトエンド受け部１３２を嵌合させる。これにより、隣接するベルトパーティションスタンド１０の相互間にパーティションベルト１４を張設することができる。
【００２６】
パネル２０は、案内表示や告知等が描画される表示面２１と、表示面２１の反対を向く背面２２とを有している。本実施形態のパネル２０は金属板からなる。具体的には、パネル２０は磁性材料からなり、たとえば鉄製である。なお、表示面２１に直接案内表示や告知等を描画せずに、案内表示や告知等が描画されたシール等を表示面２１に貼ってもよい。パネル２０は、２つのパネル取付具Ａ１を介して支柱１２に取り付けられている。
【００２７】
図１に示すように、パネル取付具Ａ１は、パネル支持部材３０と、緩衝部材４０と、固定手段５０とを備えている。パネル取付具Ａ１は、パネル２０をベルトパーティションスタンド１０の支柱１２に取り付けるためのものである。パネル付スタンドＢ１においては、図４に示すように、上下方向に離間する２つのパネル取付具Ａ１を用いて支柱１２にパネル２０を固定している。
【００２８】
パネル支持部材３０は、本体部３１と、パネル固定部３２とを備えている。本体部３１は、たとえば金属製であり、平面視長矩形状の板状部３１１、板状部３１１の長手方向両端縁から延出する延出部３１２、および、板状部３１１の短手方向両端縁から起立する起立部３１３を備えている。本体部３１は望ましくは鉄製である。板状部３１１は、互いに反対を向く第１の面３１１ａと、第２の面３１１ｂとを有している。図５に示すように、第１の面３１１ａは、パネル２０の背面２２と対向している。第２の面３１１ｂは支柱１２と対向している。各延出部３１２は、パネル２０の背面２２から遠ざかる方（図５中下方）へ延び出している。各延出部３１２には、孔部３１２ａが形成されている。起立部３１３は、パネル２０の背面２２へ近づく方（図５中上方）へ延び出しており、パネル２０の背面２２に接する端縁３１３ａを有している。
【００２９】
パネル固定部３２は、直方体状であり、第１の面３１１ａに当接する底面３２１と、底面３２１の反対を向く主面３２２とを有している。また、パネル固定部３２は、上下の起立部３１３に挟まれるように配置されている。パネル固定部３２は、たとえば磁石であり、第１の面３１１ａに固定され、かつ、鉄製のパネル２０を引き寄せることができる。
【００３０】
図５に示すように、端縁３１３ａは、第１の面３１１ａに垂直な方向において、主面３２２よりも第１の面３１１ａから遠くに位置している。このような構成によれば、パネル固定部３２の主面３２２が背面２２から僅かに離れていることになる。
【００３１】
緩衝部材４０は、パネル支持部材３０に設けられている。具体的には、緩衝部材４０は、板状部３１１の第２の面３１１ｂに固定されている。緩衝部材４０は、たとえば、ウレタンまたはポリエチレン製の発泡材からなり、外力で容易に変形させることができる。パネル取付具Ａ１を用いてパネル２０をベルトパーティションスタンド１０の支柱１２に取り付けた状態において、緩衝部材４０は支柱１２に当接させられている（図５参照）。さらに、図５に示すように、緩衝部材４０は支柱１２の形状にあわせて自然状態から変形している。
【００３２】
固定手段５０は、緩衝部材４０を支柱１２に当接させつつ、支柱１２にパネル支持部材３０を固定するためのものである。本実施形態において、固定手段５０は、帯状に形成されており、一面に面ファスナ５１が設けられている。面ファスナ５１には、フックとループの双方が形成されており、折り返して貼り合わせることが可能となっている。パネル取付具Ａ１を用いてパネル２０をベルトパーティションスタンド１０の支柱１２に取り付けた状態において、固定手段５０の両端部は折り返された面ファスナ５１が貼り合わされて環状に形成されている（図５参照）。図５に示すように、固定手段５０の両端部は、両孔部３１２ａに挿通しており、延出部３１２に固定されている。
【００３３】
図６には、パネル取付具Ａ１を支柱１２に固定する過程の一例を示している。パネル取付具Ａ１を支柱１２に固定する際には、固定手段５０の一方の端部のみを延出部３１２の一方に固定しておく。次に、緩衝部材４０を支柱１２に当接させ、固定手段５０の他方の端部を延出部３１２の他方の孔部３１２ａに挿通させる。このとき、緩衝部材４０に支柱１２が食い込むように力を加えておく。その後、固定手段５０の他方の端部を折り返し、面ファスナ５１同士を貼り合わせることにより固定する。このようにすることで、支柱１２が緩衝部材４０および固定手段５０によって締め付けられる状態となり、パネル取付具Ａ１を支柱１２により強固に固定することができる。
【００３４】
図７には、パネル取付具Ａ１を支柱１２とは別の形状の支柱１２’に固定する過程の一例を示している。図７に示す支柱１２’は四角柱状に形成されている。このような支柱１２’に対しても、先の場合と同様にパネル取付具Ａ１を取り付けることができる。
【００３５】
以下、パネル取付具Ａ１の作用について説明を行う。
【００３６】
本実施形態のパネル取付具Ａ１における固定手段５０は面ファスナ５１を利用したものであり、貼り合わせた面ファスナ５１を引き剥がすことにより、固定手段５０によるパネル支持部材３０の支柱１２への固定状態を解除することができる。また、パネル固定部３２がパネル２０を引き寄せる力以上の力を加えることで、パネル支持部材３０とパネル２０との固定を解除することもできる。従って、本実施形態のパネル取付具Ａ１を用いれば、鉄製のパネル２０をベルトパーティションスタンド１０の支柱１２に着脱可能な状態で取り付けることができる。たとえば、ベルトパーティションスタンド１０に新たな表示内容を有するパネル２０を取り付けたい場合には、容易に古いパネル２０を取り外して新しいものに取り換えることができる。
【００３７】
ベルトパーティションスタンド１０の支柱１２は、たとえば製造元の違いによってさまざまな形状のものがある。このことは、支柱１２にパネル２０を取り付ける際の障害となり得る。本実施形態のパネル取付具Ａ１では、パネル支持部材３０が支柱１２に直接接するのではなく、変形可能な緩衝部材４０が支柱１２に当接しており、かつ、緩衝部材４０は支柱１２の外形に合わせて変形している。さらに、面ファスナ５１の貼り合わせ位置を調整することにより、固定手段５０の長さの調節を行うことが可能となっている。このような構成によれば、支柱１２のサイズおよび形状のばらつきに対応することができる。具体的には、図６および図７に示すように、パネル取付具Ａ１は、互いに形状の異なる支柱１２，１２’にパネル２０を取り付けることが可能である。即ち、本実施形態のパネル取付具Ａ１は支柱１２の形状に関わらず、ベルトパーティションスタンド１０にパネル２０を固定可能である。
【００３８】
なお、図３〜図７に示す例では、パネル２０が平板状であるが、たとえば図８に示すように、パネル２０がコの字状であってもよい。図８に示すパネル付スタンドＢ２においては、パネル２０は３つの表示面２１を有している。あるいは、パネル２０はＬ字状であってもよい。その場合、パネル２０は２つの表示面２１を有している。
【００３９】
図９〜図１２は、本発明に基づくパネル取付具の他の実施形態を説明するための図である。これらの図においては、上記実施形態と同一または類似の要素には、同一の符号を付しており、適宜説明を省略する。
【００４０】
図９は本発明の第２実施形態に基づくパネル取付具を示している。図９に示すパネル取付具Ａ２は、パネル支持部材３０の構成がパネル取付具Ａ１の場合と異なっており、その他の構成はパネル取付具Ａ１の場合と同様である。
【００４１】
図９に示すように、本実施形態のパネル支持部材３０は、図１に示すパネル支持部材３０の構成に加え、図中上方の起立部３１３から図中上方に延出する１対の突出部３１４と、図中下方の起立部３１３から図中下方へ延出する突出部３１５とを備えている。１対の突出部３１４および突出部３１５は、第１の面３１１ａと平行な面を有する薄板状に形成されている。１対の突出部３１４には、それぞれ、厚み方向に貫通するビス通し孔３１４ａが形成されている。
【００４２】
本実施形態のパネル取付具Ａ２も、磁石からなるパネル固定部３２を有しており、図３に示す鉄製のパネル２０をベルトパーティションスタンド１０に取り付けることができる。その際、１対の突出部３１４および突出部３１５はパネル２０の背面２２に当接する。本実施形態においても、起立部３１３がパネル固定部３２に対して僅かに突き出すように形成されており、パネル固定部３２がパネル２０の背面２２に直接接することはない。
【００４３】
本実施形態のパネル取付具Ａ２は、さらに、非鉄製のパネル２０’をベルトパーティションスタンド１０に取り付ける際にも使用できる。図１０および図１１に示すパネル付スタンドＢ３は、パネル取付具Ａ２を用いて、樹脂製のパネル２０’をベルトパーティションスタンド１０に取り付けたものである。
【００４４】
パネル２０’には、複数のビス嵌合孔２０ａが形成されている。パネル支持部材３０にパネル２０’を取り付ける際には、各ビス通し孔３１４ａがビス嵌合孔２０ａのいずれかと重なるようにし、ビス通し孔３１４ａおよびビス嵌合孔２０ａにビス６０を挿し込む。このようにすることで、パネル支持部材３０とパネル２０’とを固定することができる。
【００４５】
図１２は本発明の第３実施形態に基づくパネル取付具を示している。図１２に示すパネル取付具Ａ３は、固定手段５０の構成がパネル取付具Ａ１の場合と異なっており、その他の構成はパネル取付具Ａ１の場合と同様である。
【００４６】
本実施形態の固定手段５０は、第１のベルト５２、第１の連結部５３、第２のベルト５４、第２の連結部５５、および、移動カン５６を備えている。第１のベルト５２は、延出部３１２の一方に連結されており、第２のベルト５４は反対側の延出部３１２に連結されている。第１の連結部５３は第１のベルト５２の端部に取り付けられており、第２の連結部５５は第２のベルト５４の端部に取り付けられている。第１の連結部５３と第２の連結部５５とは連結可能であり、かつ、連結した後に容易に離間させることができる。このような第１の連結部５３および第２の連結部５５の構造は、たとえばワンタッチバックルを採用することで容易に実現可能である。第２のベルト５４は移動カン５６を用いて長さの調節を行うことが可能となっている。本実施形態の固定手段５０は、支柱１２の形状およびサイズに合わせて第２のベルト５４の長さを調節することにより、パネル取付具Ａ１の固定手段５０と同様にパネル支持部材３０を様々な形状およびサイズの支柱１２に取り付けることができる。
【００４７】
本発明に基づくパネル取付具およびパネル付スタンドは、上述した実施形態に限定されるものではない。本発明に基づくパネル取付具およびパネル付スタンドの各部の具体的な構成は、種々に設計変更自在である。
【符号の説明】
【００４８】
Ａ１〜Ａ３  パネル取付具
Ｂ１〜Ｂ３  パネル付スタンド
１０    ベルトパーティションスタンド
１１    ベース
１２，１２’  支柱
１３    ベルト収納ヘッド
１４    パーティションベルト
２０，２０’  パネル
２０ａ  ビス嵌合孔
２１    表示面
２２    背面
３０    パネル支持部材
３１    本体部
３２    パネル固定部
４０    緩衝部材
５０    固定手段
５１    面ファスナ
５２    第１のベルト
５３    第１の連結部
５４    第２のベルト
５５    第２の連結部
５６    移動カン
６０    ビス
１１１  切欠き
１３１  ベルト導出部
１３２  ベルトエンド受け部
１４１  ベルトエンド
３１１  板状部
３１１ａ  第１の面
３１１ｂ  第２の面
３１２  延出部
３１３  起立部
３１３ａ  端縁
３１４，３１５  突出部
３１４ａ  ビス通し孔
３２１  底面
３２２  主面
【図１】
0006006973.tif 000002
【図２】
0006006973.tif 000003
【図３】
0006006973.tif 000004
【図４】
0006006973.tif 000005
【図５】
0006006973.tif 000006
【図６】
0006006973.tif 000007
【図７】
0006006973.tif 000008
【図８】
0006006973.tif 000009
【図９】
0006006973.tif 000010
【図１０】
0006006973.tif 000011
【図１１】
0006006973.tif 000012
【図１２】
0006006973.tif 000013